(57)【特許請求の範囲】
【請求項１】
住宅（１）の屋根を陸屋根（５）に形成し、該陸屋根（５）の一部で、室内空間（１７）の部屋の上部に、半屋上小屋（３）を配置し、該半屋上小屋（３）は片流れ状の勾配屋根（１２）に構成し、該勾配屋根（１２）の勾配の上部に換気機構（１４）を設け、該換気機構（１４）は、該半屋上小屋（３）の天井から、勾配屋根（１２）の上部にかけて換気ダクト（４０）を配設し、該換気ダクト（４０）の室内側換気口（４０ａ）は、半屋上小屋（３）の天井板（２１）から下方に向かって貫通突出し、該換気ダクト（４０）の上方は、半屋上小屋（３）の天井から上方に向かって延設され、該半屋上小屋（３）の屋根の位置で曲折し、屋根梁（２３）に沿って延出し、半屋上小屋（３）の外壁（２４）より外側へ延出し、更に、該換気ダクト（４０）は、前記外壁（２４）より外側では軒天井板（３１）の上方を通り、屋根梁（２３）の上部で上方へ向かう室外側換気口（４０ｂ）を形成し、該換気ダクト（４０）は室内空間（１７）側では天井板（２１）、屋外空間（１８）側では軒天井板（３１）により隠蔽し、住宅（１）の外観から露出しない管路を構成し、該換気ダクト（４０）の天井板（２１）の直上方に、電動式ファン（４１）を装備し、該電動式ファン（４１）には、空気の流れを感知するセンサを設け、空気の流れが少ない時に自動的に作動し、室内空間（１７）の空気を室内側換気口（４０ａ）から換気ダクト（４０）を経て室外側換気口（４０ｂ）へ排出すべく構成したことを特徴とする住宅。
【発明の詳細な説明】
【０００１】
【発明の属する技術分野】
本発明は、住宅における換気構造の技術に関する。
【０００２】
【従来の技術】
従来、建物の外壁部に換気窓やがらり等を設けて、自然な空気の循環により室内空間と屋外空間との空気の往来を可能としている。また、住宅の建築において、間取り等の住宅の内部構造を住人の要望によって決定されることがあるが、このような住宅の設計段階において、換気構造が考慮に入れられる。なかには、自然の状態において十分な換気機構を構成することが困難な部屋を構成することもあり、空気の自然な流れを形成することができないので、空気が淀みがちとなってしまう。そこで、室内用ファンを部屋の天井に取り付けたり、天窓を設けたりして、空気の流れを形成するよう対処された住宅が散見される。
【０００３】
【発明が解決しようとする課題】
本発明では、上述の従来技術に鑑み、様々な形状の住宅に柔軟に対応することが可能な換気機構を備え、さらに、該換気機構を備えることにより、住宅の外観を損なわないように構成した住宅の換気構造を提案する。
【０００４】
【課題を解決するための手段】
本発明の解決しようとする課題は以上の如くであり、次にこの課題を解決するための手段を説明する。
【０００５】
住宅（１）の屋根を陸屋根（５）に形成し、該陸屋根（５）の一部で、室内空間（１７）の部屋の上部に、半屋上小屋（３）を配置し、該半屋上小屋（３）は片流れ状の勾配屋根（１２）に構成し、該勾配屋根（１２）の勾配の上部に換気機構（１４）を設け、該換気機構（１４）は、該半屋上小屋（３）の天井から、勾配屋根（１２）の上部にかけて換気ダクト（４０）を配設し、該換気ダクト（４０）の室内側換気口（４０ａ）は、半屋上小屋（３）の天井板（２１）から下方に向かって貫通突出し、該換気ダクト（４０）の上方は、半屋上小屋（３）の天井から上方に向かって延設され、該半屋上小屋（３）の屋根の位置で曲折し、屋根梁（２３）に沿って延出し、半屋上小屋（３）の外壁（２４）より外側へ延出し、更に、該換気ダクト（４０）は、前記外壁（２４）より外側では軒天井板（３１）の上方を通り、屋根梁（２３）の上部で上方へ向かう室外側換気口（４０ｂ）を形成し、該換気ダクト（４０）は室内空間（１７）側では天井板（２１）、屋外空間（１８）側では軒天井板（３１）により隠蔽し、住宅（１）の外観から露出しない管路を構成し、該換気ダクト（４０）の天井板（２１）の直上方に、電動式ファン（４１）を装備し、該電動式ファン（４１）には、空気の流れを感知するセンサを設け、空気の流れが少ない時に自動的に作動し、室内空間（１７）の空気を室内側換気口（４０ａ）から換気ダクト（４０）を経て室外側換気口（４０ｂ）へ排出すべく構成したものである。
【０００６】
【発明の実施の形態】
次に、発明の実施の形態を説明する。
【０００７】
図１は本発明に係る換気構造を適応させた住宅の全体構成を示す側面図、図２は同じく側断面図である。図３は同じく平面図、図４は同じく本屋部の屋根の構造を示す側断面図、図５は同じく半屋上小屋の屋根の構造を示す側断面図である。
【０００８】
図１は、一例として本発明に係る換気構造が適用された戸建て住宅１を示すものである。該住宅１は二階建ての本屋２及び別棟１０と、該本屋２の上方に位置して内部に屋根裏部屋を有する半屋上小屋３とで構成されている。
【０００９】
図２及び図３に示す如く、本屋２及び別棟１０は夫々一階と二階を有する二階建て構造であって、本屋２に対しバルコニー４を介した位置に別棟１０が構築されており、本屋２及び別棟１０にわたる一枚の大きな陸屋根５が設けられている。本屋２の一階と二階は平面視において略等しい形状に設計されていて、一階と二階の間には屋根が設けられていない。但し、一部においては、例えば、二階の床部やバルコニー４等の構造物の突き出した空間を屋根として利用したり、庇を設けたりして、一階部分の雨除け及び日除けを確保している。
【００１０】
そして、前記陸屋根５のバルコニー４上方では、吹き抜け９が構成されて、バルコニー４に面する開口部、及び該バルコニー４に通風と日射をもたらしている。陸屋根５は、バルコニー４の南方に位置する別棟１０まで連続した屋根となっており、該別棟１０に別個屋根を設けずとも済むので、住宅１の屋根の外観はすっきりとまとまった形状となって、施工が簡易となり、デザイン性に優れながらもコストを低く抑えることができる。
【００１１】
図４に示す如く、前記陸屋根５を構成する本屋２のＩ型鋼からなる梁１５の上部には、鼻母屋５０と、屋根材６・６・・・の基礎となる軽量コンクリート素材で構成された屋根基盤５１が固定されている。屋根基盤５１は、半屋上小屋３を支持する梁５２と、本屋２の周縁部に位置する梁１５の間に略水平に架設され、一体的に構成された平板状のものであって、屋根材６・６・・・を支持する下地となっている。
【００１２】
前記屋根基盤５１上には、勾配の付けられた断熱材５３が載置固定される。該断熱材５３に形成された勾配は、陸屋根５の水垂勾配となるものであって、僅かに住宅１の外周に向かって下るようにしている。そして、前記断熱材５３上には、不燃板５４を介して屋根面材５５が貼設される。従って、上から屋根面材５５→不燃板５４→断熱材５３→屋根基盤５１の順に層を成して屋根を構成している。
【００１３】
一方、屋根の下部に、適宜間隔で固定された梁１５の下方には、吊り部材５８を介して天井板５９が取り付けられている。
梁１５下部から建物内側へ突出する形状に固定された固定片上に略水平に載置された天井下地６０と、前記天井板５９との間にはパーティクルボード６１が介入され、さらに、天井下地６０上にも断熱材６２が載置されて、上から断熱材６２→天井下地６０→パーティクルボード６１→天井板５９の順に層を成して天井を構成して、断熱性を確保している。
【００１４】
前述の如く、本屋２の周縁部に設けられた梁１５の建物外側において、該梁１５の上部には鼻母屋５０が支持固定されている。該鼻母屋５０には軒屋根６３の上端部が支持されており、鼻母屋５０には軒６４の勾配に沿った小返りが形成されている。前記梁１５の下端からは固定プレート６５を介して軒梁６６が支持されて、該軒梁６６は建物外側へ向かって突出しておりその中途部で根太６７を支持し、同じく最外部には鼻隠板６８が固定されている。
【００１５】
前記鼻母屋５０、根太６７及び鼻隠板６８によって、陸屋根５から連続した形状に設けられた軒屋根６３が支持されている。該軒屋根６３の最下部では水切り６９が付設されている。通常の陸屋根では屋根の周縁部にパラペットが形成されることが多いが、上述の如く、本発明に係る屋根では前記陸屋根５に軒６４が形成されている。従って、陸屋根５でありながらも軒６４を有することで、住宅１の壁７０に直接風雨が当たることを防いだり、日光を遮蔽したりしている。さらに、軒屋根６３に屋根とは異なる勾配を設けて、即ち、軒屋根６３に陸屋根５よりも大きな勾配を設けて、側面視において軒先が細く見えるように構成しており、屋根にシャープで軽快な高級感を醸し出すようにしている。
【００１６】
近年、住宅の高気密化に伴って、住宅内部と屋外空間１８との換気が阻害される空間が形成されることがある。これらの空間では、空気の自然な流れを形成することが困難であるので空気が淀みがちとなってしまう。
【００１７】
本実施例に係る住宅１は、換気を促すために本屋２の平面視略中央部において一階と二階の間に吹き抜け１６を構成している。従って、一階の空気の流れは、一階の窓や玄関等の開口部から室内に入って、吹き抜け１６を通って上方へ抜けるように、空気の流路が形成されている。上述の如く吹き抜け１６を建物の略中央に設けて、一階の空気が一階に留まることなく上方へ抜けるように構成して、空気の流れが発生し易いようにしている。なお、吹き抜け１６の位置は本屋２の平面視略中央に限定されるものでなく、住宅１の建築された土地の状況、例えば風向きや廻りの建築物の状況に応じて適宜変化させることが好ましい。
【００１８】
そして、本屋２の二階の開口部から、または、一階の吹き抜け１６を通って、二階へ侵入した空気は、さらに上方へ流れて、本屋２の上部に位置する半屋上小屋３まで達する。住宅１の開口部には大型の窓を備えて空気の往来を十分に考慮した構造とされているが、建物の内部に向かうほど空気の流れは淀みがちとなってしまいがちであるので、本屋２の略中央部に吹き抜け１６を設け、さらに、吹き抜け１６の上方において、本屋２の二階と半屋上小屋３との間に空気の流通が可能な開口部を形成して、なるべく自然な上方へ向かう空気の緩やかな流れを構成している。
【００１９】
半屋上小屋３に達した空気は、半屋上小屋３に構成された勾配屋根１２の傾斜の上方に設けられた換気機構１４によって屋外空間１８へ排出される。従って、住宅１の空気は一貫して上方へ流れて抜けるように構成されていて、なるべく自然な空気の流れが絶えず形成されるようにしている。
【００２０】
前記本屋２の上部に構成された半屋上小屋３は、住宅１の空調機械室として設けられたものであるが、物置倉庫や趣味の部屋として利用されることもある。前記半屋上小屋３には片流れ状の勾配屋根１２が構成されている。そして、勾配屋根１２の勾配の上部には後述する換気機構１４が設けられて、本屋２の換気を促す構造としている。なお、本実施例においては、半屋上小屋３の屋根の形状を片流れ状の勾配屋根としているが、屋根の形状は本実施例に拘らず、陸屋根であったり切妻屋根等であったりしても構わない。
【００２１】
そして、平面視略方形状に構成された半屋上小屋３の壁２４は、図４及び図５に示す如く、前記陸屋根５の屋根基盤５１上に略垂直に立設支持されて、陸屋根５と壁２４の接合部７１では図示せぬ水仕舞が施されている。陸屋根５を支持する梁５２の上部に柱７２を介して勾配屋根１２を支持する梁１９が位置している。そして、これらの梁１９の上部には勾配屋根１２の屋根梁２３が架設されている。該屋根梁２３は半屋上小屋３の屋根に形成される勾配の基礎となるため、略南下がりの勾配を有している。屋根梁２３の勾配の上方、即ち、屋根梁２３の南北両端部は壁２４よりも大きく建物外側へ突出している。
【００２２】
図５に示す如く、前記換気機構１４は前記半屋上小屋３の勾配屋根１２の上方、即ち、北側端部に設けられている。前記半屋上小屋３では、本屋２の二階天井部に位置する梁５２に柱７２を介して載置された梁１９に、吊り部材２０を介して支持された天井板２１と、同じく梁１９の上部に固着された固定片に支持された傾斜梁２２との間に断熱材を介して、半屋上小屋３の室内空間１７側の天井を構成している。
【００２３】
そして、前記傾斜梁２２の上方には屋根梁２３が支持されている。該屋根梁２３は傾斜梁２２と同様の勾配をもって配置されており、勾配屋根１２の基礎を形成している。屋根梁２３の上方は半屋上小屋３の外壁２４よりも側方へ突出して軒２５を形成している。屋根梁２３の上端には鼻板２６が固定されて、さらに、軒化粧板支持片２７を介して軒先に沿って軒化粧板２８が付設されており、半屋上小屋３の軒先の美観の向上に寄与している。前記軒化粧板２８を支持する軒化粧板支持片２７の下方では軒天井板支持片２９が延出していて、半屋上小屋３の外壁２４に固定された軒裏見切３０との間に軒天井板３１を架設している。該軒天井板３１はアルミ複合部材等の軽量金属素材で構成された板状のものであって、耐食性に優れ、屋根梁２３及び外壁２４に負担を掛けないようにしている。
【００２４】
前記屋根梁２３上には該屋根梁２３と直交する方向に母屋３２が適宜配置されている。母屋３２は断面方形の中空鋼で構成されて、山形鋼によって屋根梁２３に支持固定されている。そして、母屋３２上には屋根材３３が貼設固定される。
【００２５】
上述の如く構成された半屋上小屋３の天井から勾配屋根１２の上部にかけて、換気ダクト４０が配設され、換気機構１４が構成されている。該換気ダクト４０の室内側換気口４０ａは、半屋上小屋３の天井板２１から下方に向かって突出した形状となっており、換気ダクト４０は天井板２１を貫通している。
【００２６】
そして、換気ダクト４０は半屋上小屋３の天井から上方に向かって延設され、さらに、屋根に達したところで曲折して屋根梁２３に沿って外壁２４より外側へ延出している。換気ダクト４０は、外壁２４より外側では前記軒天井板３１の上方を通り、屋根梁２３の上部で上方へ向かう室外側換気口４０ｂを形成している。このようにして、換気ダクト４０は室内空間１７側では天井板２１、屋外空間１８側では軒天井板３１に隠蔽されて、住宅１の外観から露出しないようにその管路が設けられている。
【００２７】
上述の如く構成された換気機構１４では、室内空間１７にある空気が室内側換気口４０ａから換気ダクト４０内へ流入して、室外側換気口４０ｂから屋外空間１８へ排出される（４５ａ・４５ｂ）。このとき、空気の流れは上方へ向かうように構成されているので、自然と空気の流れが生じやすい構造となっている。
【００２８】
また、前記換気ダクト４０において、天井板２１の直ぐ上方では電動式のファン４１が装備されている。ファン４１は常時作動しているのではなく、空気の流れを感知するセンサが設けられていて、空気の流れが非常に少ないときには自動的に作動して室内空間１７の換気を促すようにしている。従って、雨天時等においても快適な室内環境を保持することができる。
【００２９】
上述の如く構成した半屋上小屋３は、本屋２上部において比較的自由にその配設位置を決定することができる。前述の如く本屋３には陸屋根５が形成されているが、陸屋根５は設けられた勾配が僅かであるので、設計時において、半屋上小屋３の配設位置を個々の住宅１毎に変更しても、或いは、設計後に急に変更が生じて配設位置を変更しても、屋根全体の構成（例えば、梁や屋根材等の設計上）に大きな変化はないので比較的容易に変更をすることができる。また、半屋上小屋３の配設場所を変更したとしても、屋根の住宅の美観を損ねることはない。
【００３０】
例えば、本屋２の屋根が切妻屋根等の勾配を有する屋根の構造であれば、半屋上小屋３の配設位置に応じて屋根の設計が為されるため、半屋上小屋３の配設位置に制限があったり、屋根の外観を著しく損なうことがあったりすることも予想され、また、半屋上小屋３の配設位置を変更するために屋根を構成する部材等にも大きく変化が生じる。
【００３１】
本発明に係る換気構造を採用する住宅１では、基盤となる本屋２に設けられた屋根は陸屋根５であるので、住人の要望によって住宅内部の部屋の配置を変更しても、変更に応じて半屋上小屋３の配設位置を変更することが容易に可能である。従って、同一部材を使用して多くのパターンに応じた住宅１を構築することができるので、汎用性に富み、即ち住宅の建築コストの削減に寄与している。そして、住宅の外観形状が複雑であっても、確実な換気経路を設けることができて、快適な生活空間を構築することができるのである。
【００３２】
【発明の効果】
本発明は、以上のように構成したので、以下に示すような効果を奏する。
【００３３】
住宅（１）の屋根を陸屋根（５）に形成し、該陸屋根（５）の一部で、室内空間（１７）の部屋の上部に、半屋上小屋（３）を配置し、該半屋上小屋（３）は片流れ状の勾配屋根（１２）に構成し、該勾配屋根（１２）の勾配の上部に換気機構（１４）を設け、該換気機構（１４）は、該半屋上小屋（３）の天井から、勾配屋根（１２）の上部にかけて換気ダクト（４０）を配設し、該換気ダクト（４０）の室内側換気口（４０ａ）は、半屋上小屋（３）の天井板（２１）から下方に向かって貫通突出し、該換気ダクト（４０）の上方は、半屋上小屋（３）の天井から上方に向かって延設され、該半屋上小屋（３）の屋根の位置で曲折し、屋根梁（２３）に沿って延出し、半屋上小屋（３）の外壁（２４）より外側へ延出し、更に、該換気ダクト（４０）は、前記外壁（２４）より外側では軒天井板（３１）の上方を通り、屋根梁（２３）の上部で上方へ向かう室外側換気口（４０ｂ）を形成し、該換気ダクト（４０）は室内空間（１７）側では天井板（２１）、屋外空間（１８）側では軒天井板（３１）により隠蔽し、住宅（１）の外観から露出しない管路を構成し、該換気ダクト（４０）の天井板（２１）の直上方に、電動式ファン（４１）を装備し、該電動式ファン（４１）には、空気の流れを感知するセンサを設け、空気の流れが少ない時に自動的に作動し、室内空間（１７）の空気を室内側換気口（４０ａ）から換気ダクト（４０）を経て室外側換気口（４０ｂ）へ排出すべく構成したので、室内空間１７にある空気が室内側換気口４０ａから換気ダクト４０内へ流入して、室外側換気口４０ｂから屋外空間１８へ排出される（４５ａ・４５ｂ）。
このとき、空気の流れは上方へ向かうように構成されているので、自然と空気の流れが生じやすい構造となっている。
【００３４】
また、前記換気ダクト４０において、天井板２１の直ぐ上方では電動式のファン４１が装備されている。ファン４１は常時作動しているのではなく、空気の流れを感知するセンサが設けられていて、空気の流れが非常に少ないときには自動的に作動して室内空間１７の換気を促すようにしている。従って、雨天時等においても快適な室内環境を保持することができる。
【００３５】
住宅の間取りを設計するときに、内部の部屋の配置に合わせて、半屋上小屋の配設位置を変更することが容易に可能となり、同一部材を使用して多くのパターンに応じた住宅に対応することができ、また、住宅の外観形状が複雑であっても、確実な換気経路を設けることができる。
また、前記半屋上小屋を、部屋の上部に配置したので、喚起し難い部屋を容易に喚起することができ、通風性を向上できる。
【図面の簡単な説明】
【図１】  本発明に係る換気構造を適応させた住宅の全体構成を示す側面図。
【図２】  同じく側断面図。
【図３】  同じく平面図。
【図４】  同じく本屋部の屋根の構造を示す側断面図。
【図５】  同じく半屋上小屋の屋根の構造を示す側断面図。
【符号の説明】
１  住宅
２  本屋
３  半屋上小屋
５  陸屋根
１２  勾配屋根
１４  換気機構
【図１】
0003914397.tif 000002
【図２】
0003914397.tif 000003
【図３】
0003914397.tif 000004
【図４】
0003914397.tif 000005
【図５】
0003914397.tif 000006